(57)【要約】      （修正有）【課題】ベルトの長さ調節を左右別々に行う必要がなく、ベルトの先端部がゴーグルの取り扱い中に邪魔になることがなく、ベルトの表裏に異なるデザインを施してリバーシブルに使用することもでき、しかもベルトを表裏の何れで使用しても止め具が頭に当たるのを緩和することができる利点を具えたゴーグルを提供する。【構成】ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部と、上記環状部から離間して設けられ上記ベルトの幅方向と略平行に形成された係止片を有し、上記左右に配置された止め具の環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成する。【選択図】図１
0003142227.tif 000002
【実用新案登録請求の範囲】
【請求項１】
ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部と、上記環状部から離間して設けられ上記ベルトの幅方向と略平行に形成された係止片を有し、上記左右に配置された止め具の環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とするゴーグル。
【請求項２】
上記止め具に形成された係止片が、上記止め具の環状部の両側からベルト長手方向に向かって伸びる一対の延在部と、上記延在部からベルトの幅方向に向かって対向して伸びる1対の係止部と、一対の係止部の端部間に形成された開口部を有する事を特徴とする請求項１記載のゴーグル。
【請求項３】
上記一対の係止部の端部間に形成された開口部の寸法が上記ベルトの厚さ以上で且つ、ベルトの幅の半分以下である事を特徴とする請求項２記載のゴーグル。
【請求項４】
上記止め具に形成された係止片が、上記止め具の環状部の片側からベルト長手方向に向かって伸びる延在部と、上記延在部からベルトの幅方向に向かって伸びる係止部とを有する事を特徴とする請求項１記載のゴーグル。
【請求項５】
上記止め具に形成された係止片が、上記止め具の環状部の片側からベルト長手方向に向かって伸びる延在部と、上記延在部からベルトの幅方向に向かって伸びる係止部と、上記係止片の端部に形成されたベルトの筒状部の外れ防止手段とを有する事を特徴とする請求項１記載のゴーグル。
【請求項６】
ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部とこれに隣接する別の環状部と、これらの二つの環状部の少なくとも一つの内側に設けられ上記ベルトの幅方向と略平行に形成された係止片を有し、上記左右に配置された止め具の一つの環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とするゴーグル。
【請求項７】
ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部とこれに隣接する別の環状部と、これらの二つの環状部のベルトの幅方向の両側辺に開口部を設けて形成された係止片を有し、上記左右に配置された止め具の一つの環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とするゴーグル。
【請求項８】
上記ベルトの他端に形成された筒状部が、ベルト端部を折り返して形成された事を特徴とする請求項１〜７の何れか１項に記載のゴーグル。
【請求項９】
上記ベルトの他端に形成された筒状部が、ベルトの他端に柔軟性を有する別部品を結合して形成された事を特徴とする請求項１〜７の何れか１項に記載のゴーグル。
【請求項１０】
上記止め具の厚み方向の位置において、環状部の中央に位置する片の底面の位置が、周囲の部分の底面の位置によりも、ベルトの厚さの半分の距離以上、上面方向に移動して形成された事を特徴とする請求項１〜９の何れか１項に記載のゴーグル。
【請求項１１】
上記左右一対のベルトの夫々の一端とゴーグルの固定が着脱自在に構成されており、更にベルトの左右及び表裏の夫々が異なる意匠面で形成された事を特徴とする請求項１〜１０の何れか１項に記載のゴーグル。
【考案の詳細な説明】
【技術分野】
【０００１】
本考案は、スキー、スノーボードなどの運動や、自動二輪車等の乗物乗車中に使用するゴーグルのベルト固定に関するものであり、更にダイビングマスク等にも適用することができる。
【背景技術】
【０００２】
ゴーグル等におけるベルト長の調節部は、一般的に図９に示すような「日」字形の固定環91を用いて、一端をゴーグルに固定した一方のベルトの自由端を前記固定環91の中央脚92に巻き付けるようにして折り返したうえ縫製するとともに、一端をゴーグルに固定した他方のベルトの自由端を前記固定環91の一方の開口部93ａから差し込んで前記中央脚92を跨いで前記固定環91の他方の開口部93ｂに差し込むことによってベルトの長さを調節固定する構造となっている。かかる構造では左右のベルトの一端をゴーグル本体に対して固定してあるので、ベルトの表裏をリバーシブルに使用したい場合にそれができない。仮に左右のベルトの一端をゴーグル本体に着脱自在に構成し、ベルトの表裏に異なるデザインを施しても、ユーザーは固定環を含めてそのまま裏返しせざるを得ず、ゴーグル装着時に固定環が頭に当たったり、一方のベルトの縫製部が外側にでてしまうため外観的に体裁が悪いという問題がある。
【０００３】
前記のようなベルト長の調節手段以外にも、特許文献１には、一本のベルトの一端をゴーグル本体の裏側から透孔を通して表側に出したうえ、「Ｄ」字形の止め具を介して前記透孔より再び裏側に戻して止め環に挿入し、前記ベルトの他端も同様にして止める構成が開示されている。しかし、かかる構成はベルトの両端の長さをそれぞれ別々に調節しなければならないので調節に手間がかかるだけでなく、止め環に挿入したベルトの自由端が長いとゴーグルの取り扱い中邪魔になるという難点がある。
【０００４】
また、特許文献２には、ゴーグル本体に開口とこれを縦断する係止杆部を設け、前記係止杆部にベルトの一端を掛着させた後、ベルトの重なり合う部分を「日」字形バックルで固定する構造が開示されている。しかし、この構造も前記特許文献１に記載された構造と同様に、ベルトの両端の長さをそれぞれ別々に調節しなければならないので調節に手間がかかるだけでなく、バックルに挿入したベルトの折り返し端がゴーグルの取り扱い中邪魔になるという欠点がある。
【０００５】
さらに、特許文献３には、一本のベルトの両端にそれぞれ前腕部（フック部）を具えた「日」字形または「目」字形のバックルを取り付け、前記バックルの前腕部をバックル本体に設けたバンドホルダに掛け止めすることによって、ゴーグル本体にベルトを取り付ける構造が開示されている。しかし、この構造においても、ベルトの両端の長さをそれぞれ別々に調節しなければならないので調節に手間がかかるだけでなく、バックルに挿入したベルトの折り返し端がゴーグルの取り扱い中邪魔になるという欠点がある。また、かかる構造ではベルトの表裏をリバーシブルに使用できないことは構造上明らかである。
【０００６】
なお、前記三つの特許文献に図示されている「Ｄ」字形止め具、「日」字形バックル、または「目」字形バックルの一辺に形成されたギャップまたはスリットは、単に止め具やバックルに対するベルトの着脱を容易にする目的で設けられていることに注目すべきである。
【０００７】
【特許文献１】実公平３−２７６２５号公報
【特許文献２】実公平７−５６０４３号公報
【特許文献３】特開２００２−２３８９４１号公報
【考案の開示】
【考案が解決しようとする課題】
【０００８】
本考案は、前記のような背景技術にみられるゴーグルの欠点を除去して、ベルトの長さ調節を左右別々に行う必要がなく、ベルトの先端部がゴーグルの取り扱い中に邪魔になるようなことが全くなく、ベルトの表裏に異なるデザインを施してリバーシブルに使用することもでき、しかもベルトを表裏の何れで使用しても止め具が頭に当たるのを緩和することができるなどの利点を具えたゴーグルを提供することを目的とする。
【課題を解決するための手段】
【０００９】
本考案は、前記目的を達成するために次のような手段を採用する。すなわち、ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部と、上記環状部から離間して設けられ上記ベルトの幅方向と略平行に形成された係止片を有し、上記左右に配置された止め具の環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とする。
【００１０】
また、上記止め具に形成された係止片が、上記止め具の環状部の両側からベルト長手方向に向かって伸びる一対の延在部と、上記延在部からベルトの幅方向に向かって対向して伸びる1対の係止部と、一対の係止部の端部間に形成された開口部を有する事を特徴とする。
【００１１】
さらに、上記一対の係止部の端部間に形成された開口部の寸法が上記ベルトの厚さ以上で且つ、ベルトの幅の半分以下である事を特徴とする。
【００１２】
さらに、上記止め具に形成された係止片が、上記止め具の環状部の片側からベルト長手方向に向かって伸びる延在部と、上記延在部からベルトの幅方向に向かって伸びる係止部とを有する事を特徴とする。
【００１３】
さらに、上記止め具に形成された係止片が、上記止め具の環状部の片側からベルト長手方向に向かって伸びる延在部と、上記延在部からベルトの幅方向に向かって伸びる係止部と、上記係止片の端部に形成されたベルトの筒状部の外れ防止手段とを有する事を特徴とする。
【００１４】
また、ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部とこれに隣接する別の環状部と、これらの二つの環状部の少なくとも一つの内側に設けられ上記ベルトの幅方向と略平行に形成された係止片を有し、上記左右に配置された止め具の一つの環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とする。
【００１５】
さらに、ゴーグル本体と、上記ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部とこれに隣接する別の環状部と、これらの二つの環状部のベルトの幅方向の両側辺に開口部を設けて形成された係止片を有し、上記左右に配置された止め具の一つの環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成した事を特徴とする。
【００１６】
さらに、上記ベルトの他端に形成された筒状部が、ベルト端部を折り返して形成された事を特徴とする。
【００１７】
さらに、上記ベルトの他端に形成された筒状部が、ベルトの他端に柔軟性を有する別部品を結合して形成された事を特徴とする。
【００１８】
さらに、上記止め具の厚み方向の位置において、環状部の中央に位置する片の底面の位置が、周囲の部分の底面の位置によりも、ベルトの厚さの半分の距離以上、上面方向に移動して形成された事を特徴とする。
【００１９】
さらに、上記左右一対のベルトの夫々の一端とゴーグルの固定が着脱自在に構成されており、更にベルトの左右及び表裏の夫々が異なる意匠面で形成された事を特徴とする。
【考案の効果】
【００２０】
本考案に係るゴーグルは、上記のように、ゴーグル本体に一端が固定され他端にベルトの幅方向に向いた筒状部を形成した左右一対のベルトと、左右一対に配置された止め具よりなり、上記止め具は、上記ベルトの他端が挿通可能な環状部と、上記環状部から離間して設けられ上記ベルトの幅方向と略平行に形成された係止片を有し、上記左右に配置された止め具の環状部に上記左右一対のベルトの他端側を夫々相通させた状態で、右側のベルトの筒状部に対して左側の止め具の係止片を、左側のベルトの筒状部に対して右側の止め具の係止片を、夫々係脱自在に構成したので、ベルト長を調節する場合には、左右何れか一方の止め具をベルトに沿って任意の位置に移動させると他方のベルトが弛んだ状態となるから、この状態で他方の止め具をベルトに沿って移動させると弛みがなくなりベルト長を簡単に調節することができる。また、それぞれのベルトの自由端はベルトの幅方向に向いた筒状部となっていて、この部分は上記止め具の係止片が挿入されているので、ゴーグルの取り扱い中に邪魔になるようなことはない。さらに、左右一対のベルトをゴーグル本体から取り外して裏側に取り付けたうえ、表側と同様にして左右一対の止め具の環状部に上記各ベルトの他端側を夫々相通させた状態で、右側のベルトの筒状部に対して左側の止め具の係止片を、左側のベルトの筒状部に対して右側の止め具の係止片を挿入すれば、ベルトをリバース状態で使用することができる。
【考案を実施するための最良の形態】
【００２１】
以下、図面を参照しつつ、本考案の実施の形態について説明する。
【実施例１】
【００２２】
図１は本考案に係るゴーグルの斜視図で、11はゴーグル本体、12a、12bは左右一対のベルト、13a、13bは左右一対の止め具である。上記ベルト12a、12bの一端は、例えば図２に示すような可撓性の膨張部14a、14bを具えており、この部分をゴーグル本体11に形成したスリットに挿入する等の手段によりゴーグル本体11に取り付けてある。また、上記ベルト12a、12bの他端には図２に示すようにベルトの幅方向に向いた筒状部15a、15bが形成してある。
【００２３】
前記止め具13a、13bは、例えば図４Ａ、図４Ｂに示すような構造を有する。すなわち、上記ベルト12a、12bの筒状部15a、15bを形成した先端が挿通可能な環状部16と、上記環状部16の両側からベルト長手方向に向かって伸びる一対の延在部17a、17bと、上記延在部からベルトの幅方向に向かって対向して伸びる1対の係止部18a、18bと、一対の係止部18a、18bの端部間に形成された開口部19を有する。
【００２４】
本考案に係るゴーグルは次のような手順で組み立てる。先ず、図２に示すような左右一対のベルト12a、12bの膨張部14a、14bを図１のゴーグル本体11のスリットに挿入してベルト12a、12bの一端をゴーグル本体11に固定する。次に図２に示すように、左右一対の止め具13a、13bの開口部19が互いに向かい合うようにして上記止め具13a、13bを配置する。そして、左側のベルト12aの自由端は上記止め具13aを平らに置いたときに上方から環状部16に挿入し、延在部17a、17bと係止部18a、18bに囲まれた部分を通して上方に取り出す。右側のベルト12bの自由端は止め具13bの下方から環状部16に挿入し、延在部17a、17bと係止部18a、18bに囲まれた部分を通して下方に取り出す。そして、左右一対のベルト13a、13bの先端部に形成された筒状部15a、15bにそれぞれ各止め具13a、13bの係止部18a、18bを挿入して組み立てを終了する。
【００２５】
上記左右一対のベルト13a、13bの先端部に形成された筒状部15a、15bに止め具13a、13bの係止部18a、18bを挿入する手順を図８Ａ乃至図８Ｃに示す。すなわち、先ず図８Ａに示すようにベルト13の筒状部15に止め具13の一方の係止部18bを挿入し、次いで図８Ｂに示すように上記筒状部15を片方に手繰り寄せたうえ、図８Ｃに示すように上記筒状部15に他方の係止部18aを挿入すればよい。
【００２６】
上記のようにしてベルト13の筒状部15を止め具13の係止部18a、18bに挿入するためには、実験上から、係止部18a、18bの端部間に形成された開口部19の寸法が上記ベルト13の厚さ以上（さらに望ましくは上記ベルト13の厚さの２倍以上）で且つ、ベルト13の幅の半分以下であると良好であることが判明している。
【００２７】
図３は上記のようにして組み立てたゴーグルのゴーグル本体11と、左右一対のベルト12a、12bと、左右一対の止め具13a、13bの連結関係の略図である。この図からも明らかなように、本考案に係るゴーグルではベルトの長さ調節を極めて簡単に行うことができ、ゴーグル取り扱い中にベルト端部が邪魔になるようなこともない。ベルトのリバーシブル使用も簡単に行える。
【００２８】
図４Ｃは図４ＡのＸ-Ｘ断面図である。止め具13は厚み方向の位置において、環状部の中央に位置する片の底面の位置が、周囲の部分の底面の位置によりも、ベルトの厚さの半分の距離以上、上面方向に移動して形成されている。かかる構成において、中央に位置する片を外側にして配置することにより、ゴーグル使用時に止め具13が頭に当たる不快感を防ぐことができる。
【００２９】
図５Ａ乃至図５Ｃは本考案に用いる止め具13の他の実施例を示すものである。図５Ａに示すものは、止め具に形成された係止片が、上記止め具の環状部16の片側からベルト長手方向に向かって伸びる延在部17と、上記延在部17からベルトの幅方向に向かって伸びる係止部18とを有する。図５Ｂおよび図５Ｃに示す止め具は、係止部18の端部にベルトの筒状部の外れ防止手段20を設けたものである。
【００３０】
図６Ａ、図６Ｂおよび図７は本考案に用いる止め具13の更に他の実施例を示すものである。図６Ａ、図６Ｂに示す止め具は、ベルトの自由端を挿通可能な環状部16aとこれに隣接する別の環状部16bと、これらの二つの環状部16a、16bの少なくとも一つの内側に設けられ上記ベルトの幅方向と略平行に形成された係止片18a〜18dを有するものである。図７はベルトの自由端を挿通可能な環状部16aとこれに隣接する別の環状部16bと、これらの二つの環状部16a、16bのベルトの幅方向の両側辺に開口部19a、19bを設けて形成された係止片を有する止め具である。
【００３１】
なお、上記ベルトの他端（自由端）に形成された筒状部15は、ベルト端部を折り返して縫製することにより簡単に形成することができる。このベルトの他端に形成された筒状部は、ベルトの他端に柔軟性を有する別部品を結合して形成してもよい。
【産業上の利用可能性】
【００３２】
本考案のゴーグルは、スキー、スノーボードなどの運動や、自動二輪車等の乗物乗車中に使用するゴーグルにおける、ベルトの固定機構として産業上広く利用する事が出来る。
【図面の簡単な説明】
【００３３】
【図１】本考案に係るゴーグルの全体斜視図。
【図２】本考案実施例における一対のベルトと止め具の組み合わせ前の状態を示す斜視図。
【図３】本考案により組み立てたゴーグル本体と、左右一対のベルトと、左右一対の止め具の連結状態を示す簡略図。
【図４Ａ】本考案に用いる止め具の一実施例を示す平面図。
【図４Ｂ】図４Ａの止め具の一部変形例を示す平面図。
【図４Ｃ】図４ＡのＸ-Ｘ部分の断面図。
【図５Ａ】本考案に用いる止め具の他の実施例を示す平面図。
【図５Ｂ】本考案に用いる止め具の他の実施例を示す平面図。
【図５Ｃ】本考案に用いる止め具の他の実施例を示す平面図。
【図６Ａ】本考案に用いる止め具の更に他の実施例を示す平面図。
【図６Ｂ】本考案に用いる止め具の更に他の実施例を示す平面図。
【図７】本考案に用いる止め具の更に他の実施例を示す平面図。
【図８Ａ】本考案において止め具の係止片にベルトの筒状部を係止する場合の斜視図。
【図８Ｂ】本考案において止め具の係止片にベルトの筒状部を係止する場合の斜視図。
【図８Ｃ】本考案において止め具の係止片にベルトの筒状部を係止する場合の斜視図。
【図９】従来の止め具の一例を示す平面図。
【符号の説明】
【００３４】
11：ゴーグル本体、12a：ベルト、12b：ベルト、13a：止め具、13b：止め具、14a：膨張部、14b：膨張部、15a：筒状部、15b：筒状部、16：環状部、17a：延在部、17b：延在部、18a：係止部、18b：係止部、19：開口部、20：外れ防止手段、91：固定環、92：中央脚、93ａ：開口部、93ｂ：開口部
【図１】
0003142227.tif 000003
【図２】
0003142227.tif 000004
【図３】
0003142227.tif 000005
【図４Ａ】
0003142227.tif 000006
【図４Ｂ】
0003142227.tif 000007
【図４Ｃ】
0003142227.tif 000008
【図５Ａ】
0003142227.tif 000009
【図５Ｂ】
0003142227.tif 000010
【図５Ｃ】
0003142227.tif 000011
【図６Ａ】
0003142227.tif 000012
【図６Ｂ】
0003142227.tif 000013
【図７】
0003142227.tif 000014
【図８Ａ】
0003142227.tif 000015
【図８Ｂ】
0003142227.tif 000016
【図８Ｃ】
0003142227.tif 000017
【図９】
0003142227.tif 000018